【手続補正書】
【提出日】平成26年6月19日(2014.6.19)
【手続補正１】
【補正対象書類名】特許請求の範囲
【補正対象項目名】全文
【補正方法】変更
【補正の内容】
【特許請求の範囲】
【請求項１】
分配容器であって、
第１の端と第２の端とを有する細長いフレームと、
フレームの第１の端と第２の端との間に延在する細長い貯蔵部とを含み、
貯蔵部は、
操作要素によりフレームの長手方向軸を中心に回転するために、第１の端においてフレームの第１の端の近傍でフレームに接続され、第２の端においてフレームに回転不能に接続されている、折畳み可能な壁と、
フレームの第１の端の近傍の分配開口部とを含む、分配容器。
【請求項２】
貯蔵部は、折畳み可能な壁の第２の端の近傍に狭窄部を含む、請求項１に記載の分配容器。
【請求項３】
貯蔵部は、折畳み可能な壁の第１の端から折畳み可能な壁の第２の端の方向に斜めに走る複数の変位面を有する変位体を、折畳み可能な壁の第１の端の近傍に含み、変位面は、折畳み可能な壁から離れた端において、分配開口部への分配チャネルの開口部を形成する、請求項１および２に記載の分配容器。
【請求項４】
折畳み可能な壁の第２の端は、フレームに沿って折畳み可能な壁の第１の端の方向に変位可能な誘導要素により、フレームに接続されている、請求項１〜３のいずれかに記載の分配容器。
【請求項５】
フレームは、折畳み可能な壁の第１の端と折畳み可能な壁の第２の端との間で長さが減少可能であり、折畳み可能な壁の第１の端と折畳み可能な壁の第２の端との間のフレームは、好ましくは、折畳み可能および摺動可能の群からの少なくとも１つである、請求項１〜３のいずれかに記載の分配容器。
【請求項６】
フレームは、長手方向において貯蔵部を包囲する複数の壁を含む、前述の請求項１〜５のいずれかに記載の分配容器。
【請求項７】
フレームの壁の周囲断面は、円形および多角形の群からの１つである、請求項６に記載の分配容器。
【請求項８】
フレームの壁の周囲断面は、正方形である、請求項７に記載の分配容器。
【請求項９】
操作要素は円形の外周を有し、
フレームの壁の内周は、円から変化する断面形状を有し、
フレームの壁には、フレームの第１の端の近傍に、複数の穴が配置されており、
フレームの壁の内周の寸法、操作要素の外周の寸法、および壁の穴の寸法は、壁で包囲された空間に操作要素の中心が位置付けられ、かつ操作要素の外周が穴の位置で穴から突出するように、壁で包囲された空間に操作要素の一部が位置付けられるようになっている、請求項６〜８のいずれかに記載の分配容器。
【請求項１０】
操作要素は環状で、内周を有し、
貯蔵部は、外周を有する締結体をさらに含み、
操作要素の内周と締結体の外周とは、折畳み可能な壁がその第１の端において操作要素の内周と締結体の外周との間で締結されるように具現化されており、
折畳み可能な壁は、その第１の端において、操作要素の内周と締結体の外周との間で締結される、前述の請求項のいずれかに記載の分配容器。
【請求項１１】
締結体は変位体を含む、請求項３および１０に記載の分配容器。
【請求項１２】
折畳み可能な壁の第１の端が操作要素によりフレームの長手方向軸を中心に回転することが、分配方向において自由であり、反対方向において阻止されるように適合された、回転阻止機構をさらに含む、請求項１〜１１のいずれかに記載の分配容器。
【請求項１３】
回転阻止機構は、操作要素の外周に配置された複数の鋸歯状阻止部材を含み、操作要素の寸法、および操作要素が突出するフレームの壁の穴の寸法は、操作要素が長手方向軸を中心に回転する際、穴の縁が鋸歯と接触するようになっている、請求項９および１２に記載の分配容器。
【請求項１４】
回転阻止機構は、
フレームに配置され、空間を包囲する内周とその内周から内側に突出する複数の第１の阻止部材とを有する、第１の阻止要素と、
貯蔵部に配置され、第１の阻止要素と協働し、外側に突出する複数の第２の阻止部材を外周に有する、第２の阻止要素とを含み、
第２の阻止要素は、第１の阻止要素で包囲された空間に位置付けられており、
第１の阻止部材は、阻止リブおよび鋸歯状阻止部材のうちの一方であり、第２の阻止部材は、阻止リブおよび鋸歯状阻止部材のうちの他方であり、
第１の阻止要素の寸法、および第２の阻止要素の寸法は、折畳み可能な壁の第１の端が操作要素によりフレームの長手方向軸を中心に回転する場合、一度に１つの鋸歯状阻止部材が阻止リブと接触するようになっている、請求項１２に記載の分配容器。
【請求項１５】
分配開口部に対して閉鎖位置と開放位置との間で変位可能な閉鎖要素をさらに含み、
閉鎖位置では、閉鎖要素は貯蔵部の分配開口部を閉鎖し、
開放位置では、分配開口部には閉鎖要素がなく、
閉鎖要素は、運動伝達接続構造を介して操作要素およびフレームに接続されており、
運動伝達接続構造は、
閉鎖要素の閉鎖位置では、閉鎖位置から開放位置への閉鎖要素の変位が、操作要素がフレームの長手方向軸を中心に分配方向に回転することと関連付けられ、
閉鎖要素の開放位置では、開放位置から閉鎖位置への閉鎖要素の変位が、操作要素がフレームの長手方向軸を中心に分配方向とは反対の方向に回転することと関連付けられ、
閉鎖要素の開放位置では、開放位置から閉鎖位置への閉鎖要素の変位が、操作要素がフレームの長手方向軸を中心に分配方向に回転することと関連付けられないように、適合されている、請求項１〜１４のいずれかに記載の分配容器。
【請求項１６】
運動伝達接続構造は、
閉鎖要素を操作要素に接続するねじ接続部を含み、ねじ接続部は、操作要素が閉鎖要素に対してフレームの長手方向軸を中心に回転することが、フレームの長手方向軸に沿った閉鎖要素の変位をもたらすように適合されており、前記運動伝達接続構造はさらに、
閉鎖要素をフレームに接続する並進接続部を含み、並進接続部は、フレームの長手方向軸に沿った閉鎖要素の変位が自由であり、かつ閉鎖要素がフレームに対してフレームの長手方向軸を中心に回転することが阻止されるように適合されており、前記運動伝達接続構造はさらに、
結合構造を含み、結合構造は、閉鎖要素の開放位置で、ねじ接続部および並進接続部の少なくとも一方を閉鎖要素から分離して、閉鎖要素がフレームの長手方向軸を中心に回転することが、関連する接続から一方向において分離され、反対方向において結合されるように適合されている、請求項１５に記載の分配容器。
【請求項１７】
第２の阻止要素は閉鎖要素であり、
閉鎖要素の閉鎖位置では、折畳み可能な壁の第１の端が操作要素によりフレームの長手方向軸を中心に回転すると、鋸歯状阻止部材が阻止リブの一部と接触し、阻止リブの一部は、第１の阻止要素に対する第２の阻止要素の回転が両方の回転方向において阻止され、かつ第２の阻止要素が長手方向軸に沿って並進するように具現化されており、そのため、折畳み可能な壁の第１の端が操作要素によりフレームの長手方向軸を中心に分配方向に回転すると、第２の阻止要素は閉鎖位置から開放位置へと変位可能であり、
閉鎖要素の開放位置では、折畳み可能な壁の第１の端が操作要素によりフレームの長手方向軸を中心に回転すると、鋸歯状阻止部材が阻止リブの一部と接触し、阻止リブの一部は、第１の阻止要素に対する第２の阻止要素の回転が一方向において自由であり、反対方向において阻止されるように具現化されており、そのため、折畳み可能な壁の第１の端が操作要素によりフレームの長手方向軸を中心に分配方向に回転すると、第１の阻止要素に対する第２の阻止要素の回転が自由である、請求項１４および１６に記載の分配容器。
【請求項１８】
回転阻止機構は、
フレームに配置され、空間を包囲する内周を有する、第１の阻止要素と、
貯蔵部に配置され、第１の阻止要素と協働する、第２の阻止要素とを含み、
第２の阻止要素は、第１の阻止要素が第２の阻止要素に対してフレームの長手方向軸を中心に回転することが阻止され、第１の阻止要素が第２の阻止要素に対してフレームの長手方向軸に沿って並進することが自由であるように、第１の阻止要素で包囲された空間に配置されており、
第２の阻止要素は、ねじ接続部によって操作要素に接続された閉鎖要素であり、
ねじ接続部は、
多条ねじ山を含み、ねじ山巻き部の各々は、第２の阻止要素および貯蔵部のうちの一方に配置された誘導溝を含み、ねじ接続部はさらに、
第２の阻止要素および貯蔵部のうちの他方に配置され、誘導溝のうちの１つに各々突出する、複数の誘導要素を含み、
閉鎖位置では、第２の阻止要素は貯蔵部の分配開口部を閉鎖しており、折畳み可能な壁の第１の端が操作要素によりフレームの長手方向軸を中心に分配方向に回転すると、誘導要素は、第２の阻止要素が閉鎖位置から開放位置へと並進するよう、それらが突出している誘導溝を通って誘導され、
開放位置では、分配開口部には第２の阻止要素がなく、第２の阻止要素は、第２の阻止要素が閉鎖位置から離れてさらに並進することが阻止されるように、第１の阻止要素と接触しており、
貯蔵部および第２の阻止要素は、
第２の阻止要素の開放位置において、折畳み可能な壁の第１の端が操作要素によりフレームの長手方向軸を中心に分配方向に回転すると、誘導要素は、それらが突出している誘導溝から次の誘導溝の方向に押出され、
第２の阻止要素の開放位置において、折畳み可能な壁の第１の端が操作要素によりフレームの長手方向軸を中心に反対方向に回転すると、誘導要素は、第２の阻止要素が開放位置から閉鎖位置へと並進するよう、それらが突出している誘導溝を通って誘導されるように具現化されている、請求項１２および１６に記載の分配容器。
【請求項１９】
分配開口部にはコア要素が配置され、コア要素の外周と分配開口部の内周との間には、貯蔵部の折畳み可能な壁で包囲された内部空間と連通する空間が存在するようになっており、
第２の阻止要素は、開口部と、開口部を包囲しかつ分配開口部を包囲する壁に沿って延在する摺動壁とを含み、
開口部の内周およびコア要素の外周は、閉鎖位置ではそれらが互いに閉鎖接触し、開放位置では、開口部の内周とコア要素の外周との間に、貯蔵部の折畳み可能な壁で包囲され
た内部空間と連通する空間が存在するように具現化されており、
摺動壁と分配開口部を包囲する壁とは、開放位置および閉鎖位置の両方においてそれらが互いに閉鎖接触するように具現化されている、請求項１７または１８に記載の分配容器。
【請求項２０】
分配容器の断面寸法は、ユーザの手が分配容器の周りを把持できるようになっている、請求項１〜１９のいずれかに記載の分配容器。
【請求項２１】
前述の請求項１〜２０のいずれかに記載の分配容器を形成するための方法であって、
第１の端と第２の端とを有する細長いフレームを製造するステップと、
操作要素と分配開口部とが第１の端に設けられた折畳み可能な壁を有する細長い貯蔵部を製造するステップと、
操作要素によりフレームの長手方向軸を中心に回転するために、折畳み可能な壁の第１の端をフレームの第１の端の近傍に接続するステップと、
折畳み可能な壁の第２の端をフレームに回転不能に接続するステップとを含む、方法。
【手続補正２】
【補正対象書類名】明細書
【補正対象項目名】００２１
【補正方法】変更
【補正の内容】
【００２１】
この代替的な一実施例では、回転阻止機構は、
フレームに配置され、空間を包囲する内周とその内周から内側に突出する複数の第１の阻止部材とを有する、第１の阻止要素と、
貯蔵部に配置され、第１の阻止要素と協働し、外側に突出する複数の第２の阻止部材を外周に有する、第２の阻止要素とを含み、
第２の阻止要素は、第１の阻止要素で包囲された空間に位置付けられており、
第１の阻止部材は、阻止リブおよび鋸歯状阻止部材のうちの一方であり、第２の阻止部材は、阻止リブおよび鋸歯状阻止部材のうちの他方であり、
第１の阻止要素の寸法、および第２の阻止要素の寸法は、折畳み可能な壁の第１の端が操作要素によりフレームの長手方向軸を中心に回転する場合、一度に１つの鋸歯状阻止部材が阻止リブと接触するようになっている。これらの方策は、操作要素とは別個に具現化される回転阻止機構を可能にする。